【手続補正書】
【提出日】平成16年1月14日(2004.1.14)
【手続補正１】
【補正対象書類名】明細書
【補正対象項目名】特許請求の範囲
【補正方法】変更
【補正の内容】
【特許請求の範囲】
【請求項１】
共通電極電圧が印加される液晶パネル上の所定位置の電圧を歪曲された共通電極電圧として感知する歪曲信号感知部と、
前記歪曲信号感知部から検出される歪曲された共通電極電圧と外部から提供される反転された共通電極電圧とが両端電圧として入力され、前記二つの両端電圧の間の二つの電圧を階調基準電圧として発生させるレベルシフト部と、
前記レベルシフト部において生成される二つの階調基準電圧を所定の数に分配し、前記電圧分配により得られる所定の数の電圧を階調電圧としてソース駆動部に出力する階調電圧発生部と、
を含んでなることを特徴とする薄膜トランジスタ型液晶表示装置の駆動回路。
【請求項２】
前記歪曲信号感知部は液晶パネル上の所定の位置に設置される電極パッドに具現されることを特徴とする、請求項１に記載の薄膜トランジスタ型液晶表示装置の駆動回路。
【請求項３】
前記電極パッドは液晶パネル上の共通電極電圧が印加されるある電極と他の電極との間に、または共通電極電圧が印加される電極から最も遠く離れている位置に設置されることを特徴とする、請求項２に記載の薄膜トランジスタ型液晶表示装置の駆動回路。
【請求項４】
前記電極パッドには増幅器がさらに連結されていることを特徴とする、請求項２または３に記載の薄膜トランジスタ型液晶表示装置の駆動回路。
【請求項５】
前記レベルシフト部は、前記歪曲された共通電極電圧と反転された共通電極電圧との間の所定の位置に連結される抵抗と、前記二つの電圧の間に直列に連結される所定の数のダイオード及びこれと極性が反対になるように直列連結される同数のダイオードで構成され、前記二つのグループのダイオードのうち、両端位置の電圧が二つの基準電圧として検出されることを特徴とする、請求項１に記載の薄膜トランジスタ型液晶表示装置の駆動回路。
【請求項６】
前記階調電圧発生部は、前記レベルシフト部から検出される二つの基準電圧の間に連結されて二つの基準電圧を分配する所定の数の抵抗で構成され、各抵抗の接点において階調電圧が生成されることを特徴とする、請求項１または５に記載の薄膜トランジスタ型液晶表示装置の駆動回路。
【請求項７】
複数の液晶セルと複数の薄膜トランジスタとを含み、共通電極と複数の駆動部とが対になって連続的に接続されている液晶表示装置の駆動回路であって、
前記駆動部は、
共通電極上の電圧降下を感知する感知部と、
それぞれの感知部に対応して設けられ、感知された共通電極の電圧降下に対応する少なくとも１の駆動信号レベルを複数の駆動部に供給し、共通電極上の電圧降下を引き起こす液晶セル中の歪曲を減少させる補償部とを含み、
前記補償部は、
感知された共通電極上の電圧降下の大きさに応じて第１電圧及び第２電圧を発生するレベルシフト部と、
前記第１及び第２電圧に応じた階調電圧を発生する階調電圧発生部とを含み、
前記階調電圧発生部は、２以上の階調電圧を発生し、前記２以上の階調電圧を前記複数の駆動部に印加する、液晶表示装置の駆動回路。
【請求項８】
前記感知部は、共通電極に電気的に接続しているパッドを含む、請求項７に記載の液晶表示装置の駆動回路。
【請求項９】
複数の前記駆動部は、駆動集積回路に含まれており、
前記駆動集積回路は、共通電極に共通電圧を印加する回路を含み、
前記感知部は前記駆動集積回路に含まれる、請求項７に記載の液晶表示装置の駆動回路。
【請求項１０】
共通電極に接続される第１パッド及び第２パッドをさらに含み、
前記第１パッドには共通電圧が印加され、前記感知部は前記第２パッドに接続される、請求項７に記載の液晶表示装置の駆動回路。
【請求項１１】
前記感知部は、共通電極上の電圧降下を増幅する増幅器をさらに含む、請求項９に記載の液晶表示装置の駆動回路。
【請求項１２】
前記レベルシフト部は、
共通電極に印加される電圧を補償する電圧と共通電極上で感知される電圧との間の第１極性で連続的に接続される複数の第１ダイオードと、
共通電極に印加される電圧を補償する電圧と共通電極上で感知される電圧との間の、前記第１極性と反対の第２極性で連続的に接続される複数の第２ダイオードと、
複数の第１ダイオードと複数の第２ダイオードとの間の少なくとも１組の中間電圧を取り出す複数の組の参照タップと、
を含む、請求項７に記載の液晶表示装置の駆動回路。
【請求項１３】
前記階調電圧発生部は、
前記複数の組の参照タップ間を連続的に接続する複数の抵抗と、
隣接した抵抗間に設けられる複数の抵抗タップと、
を含む、請求項１２に記載の液晶表示装置の駆動回路。
【請求項１４】
複数の液晶セルと複数の薄膜トランジスタとを含み、共通電極と複数の駆動部とが対になって連続的に接続されている液晶表示装置の駆動装置であって、
前記駆動装置は、
共通電極上の電圧降下を感知する感知手段と、
それぞれの感知手段に対応して設けられ、感知された共通電極の電圧降下に対応する少なくとも１の駆動信号レベルを複数の駆動部に供給し、共通電極上の電圧降下を引き起こす液晶セル中の歪曲を減少させる補償手段とを含み、
前記補償部は、
感知された共通電極上の電圧降下の大きさに応じて第１電圧及び第２電圧を発生するレベルシフト手段と、
前記第１及び第２電圧に応じた階調電圧を発生する階調電圧発生手段とを含み、
前記階調電圧発生手段は、２以上の階調電圧を発生し、前記２以上の階調電圧を前記複数の駆動部に印加する、液晶表示装置の駆動装置。
【請求項１５】
前記感知手段は、共通電極に電気的に接続しているパッドを含む、請求項１４に記載の液晶表示装置の駆動装置。
【請求項１６】
複数の前記駆動手段は、駆動集積回路に含まれており、
前記駆動集積回路は、共通電極に共通電圧を印加する印加手段を有する回路を含み、
前記感知手段は前記駆動集積回路に含まれる、請求項１４に記載の液晶表示装置の駆動装置。
【請求項１７】
共通電極に接続される第１パッド及び第２パッドをさらに含み、
前記第１パッドには共通電圧が印加され、前記感知部は前記第２パッドに接続される、請求項１４に記載の液晶表示装置の駆動装置。
【請求項１８】
前記感知手段は、共通電極上の電圧降下を増幅する増幅手段をさらに含む、請求項１６に記載の液晶表示装置の駆動装置。
【請求項１９】
前記レベルシフト手段は、
共通電極に印加される電圧を補償する電圧と共通電極上で感知される電圧との間の第１極性で連続的に接続される複数の第１ダイオードと、
共通電極に印加される電圧を補償する電圧と共通電極上で感知される電圧との間の、前記第１極性と反対の第２極性で連続的に接続される複数の第２ダイオードと、
複数の第１ダイオードと複数の第２ダイオードとの間の少なくとも１組の中間電圧を取り出す複数の組の参照タップと、
を含む、請求項１４に記載の液晶表示装置の駆動装置。
【請求項２０】
前記階調電圧発生手段は、
前記複数の組の参照タップ間を連続的に接続する複数の抵抗と、
隣接した抵抗間に設けられる複数の抵抗タップと、
を含む、請求項１９に記載の液晶表示装置の駆動装置。
【請求項２１】
複数の液晶セルと、
複数の薄膜トランジスタと、
共通電極と複数の駆動部とが対になって連続的に接続されている複数の液晶セルと複数の薄膜トランジスタ
共通電極上の電圧降下を感知する感知部と、
それぞれの感知部に対応して設けられ、感知された共通電極の電圧降下に対応する少なくとも１の駆動信号レベルを複数の駆動部に供給し、共通電極上の電圧降下を引き起こす液晶セル中の歪曲を減少させる補償部と、
前記補償手段は、
感知された共通電極上の電圧降下の大きさに応じて第１電圧及び第２電圧を発生するレベルシフト手段と、
前記第１及び第２電圧に応じた階調電圧を発生する階調電圧発生手段とを含み、
前記階調電圧発生手段は、２以上の階調電圧を発生し、前記２以上の階調電圧を前記複数の駆動部に印加する、液晶表示装置。
【請求項２２】
前記感知部は、共通電極に電気的に接続しているパッドを含む、請求項２１に記載の液晶表示装置。
【請求項２３】
複数の前記駆動部は、駆動集積回路に含まれており、
前記駆動集積回路は、共通電極に共通電圧を印加する回路を含み、
前記感知部は前記駆動集積回路に含まれる、請求項２１に記載の液晶表示装置。
【請求項２４】
共通電極に接続される第１パッド及び第２パッドをさらに含み、
前記第１パッドには共通電圧が印加され、前記感知部は前記第２パッドに接続される、請求項２１に記載の液晶表示装置。
【請求項２５】
前記感知部は、共通電極上の電圧降下を増幅する増幅器をさらに含む、請求項２３に記載の液晶表示装置。
【請求項２６】
前記レベルシフト部は、
共通電極に印加される電圧を補償する電圧と共通電極上で感知される電圧との間の第１極性で連続的に接続される複数の第１ダイオードと、
共通電極に印加される電圧を補償する電圧と共通電極上で感知される電圧との間の、前記第１極性と反対の第２極性で連続的に接続される複数の第２ダイオードと、
複数の第１ダイオードと複数の第２ダイオードとの間の少なくとも１組の中間電圧を取り出す複数の組の参照タップと、
を含む、請求項２１に記載の液晶表示装置。
【請求項２７】
前記階調電圧発生部は、
前記複数の組の参照タップ間を連続的に接続する複数の抵抗と、
隣接した抵抗間に設けられる複数の抵抗タップと、
を含む、請求項２６に記載の液晶表示装置。
【請求項２８】
複数の液晶セルと複数の薄膜トランジスタとを含み、共通電極と複数の駆動部とが対になって連続的に接続されている液晶表示装置の駆動方法であって、
共通電極上の電圧降下を感知するステップと、
共通電極上の電圧降下を引き起こす液晶セル中の歪曲を減少させるために、感知された共通電極の電圧降下に対応する少なくとも１の駆動信号レベルを複数の駆動部に供給ステップと、
前記供給ステップは、
感知された共通電極上の電圧降下の大きさに応じて第１電圧及び第２電圧を発生するステップと、
前記第１及び第２電圧に応じた２以上の階調電圧を発生するステップと、
前記階調電圧発生部は、２以上の階調電圧を発生し、前記２以上の階調電圧を前記複数の駆動部に印加するステップを液晶表示装置の駆動方法。
【請求項２９】
前記感知ステップと前記供給ステップでは、共通電極上の電圧降下を増幅する、請求項２８に記載の液晶表示装置の駆動方法。